【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
ファスナの一端の周囲で密閉空間を形成するためのキャップであり、前記キャップは、中央空間につながる開口を囲むエッジを端部とするベースを有する内側キャップ部材と、前記内側キャップ部材に外嵌し、且つベースを有する外側キャップ部材と、を含み、
前記内側キャップ部材が、前記内側キャップ部材の全周にわたって壁厚が実質的に均一な側壁を有し、該側壁が前記内側キャップ部材の外側表面に形成された複数の溝、及び該溝に対応する前記内側キャップ部材の内側表面に形成された山を有し、前記溝及び山は前記内側キャップ部材の大部分に沿って長手方向に延在するか、又は
前記外側キャップ部材が、壁厚が実質的に均一な側壁を有し、該側壁が前記外側キャップ部材の内側表面に形成された複数の溝、及び該溝に対応する前記外側キャップ部材の外側表面に形成された山を有し、前記溝及び山は前記外側キャップ部材の大部分に沿って長手方向に延在する、キャップ。
【請求項２】
前記溝の深さは、前記キャップの上端に向かって浅くなる、請求項１に記載のキャップ。
【請求項３】
前記溝の幅は、前記ベースに向かってフレア状に外側に広がる、請求項１又は２に記載のキャップ。
【請求項４】
フレア状に広がった前記溝は相互に連結して、各ベースに隣接して前記内側キャップ及び前記外側キャップ部材の間で略環状の開口を形成する、請求項３に記載のキャップ。
【請求項５】
長手方向に延在する前記複数の溝は、前記キャップの上端の共通のポイントから出てくる、請求項１〜４の何れか一項に記載のキャップ。  
【請求項６】
前記内側キャップ部材の前記内側表面の周囲に配置された少なくとも３つの位置決め機構を有する、請求項１〜５の何れか一項に記載のキャップ。
【請求項７】
前記溝及び該溝に対応する山は、前記内側キャップ部材上に配置されており、前記位置決め機構は前記内側キャップ部材の前記内側表面上の前記山である、請求項６に記載のキャップ。
【請求項８】
前記内側キャップ部材は、前記溝及び山を有し、前記外側キャップ部材の前記側壁の断面は、長手方向から見て環状である、請求項１〜７の何れか一項に記載のキャップ。
【請求項９】
前記内側キャップ部材の前記側壁の断面は、長手方向から見た場合に、前記内側キャップ部材の周の周囲に溝及び山の反復パターンとなっている、請求項８に記載のキャップ。
【請求項１０】
隣接する前記溝同士は、共に尖点を形成する、請求項９に記載のキャップ。
【請求項１１】
隣接する前記溝同士は、共にクレストを形成する、請求項９に記載のキャップ。
【請求項１２】
前記溝は、前記内側キャップの前記内側表面及び前記外側表面の直径が一定である領域の合間に周方向に配置されている、請求項９に記載のキャップ。
【請求項１３】
前記溝の断面は前記長手方向から見た場合に略ホタテ形状である、請求項１〜１２の何れか一項に記載のキャップ。
【請求項１４】
前記外側キャップ部材の前記ベースは、前記内側キャップ部材の前記ベースのエッジからセットバックしたポイントにて前記内側キャップ部材から外側に向かって広がるフランジを形成し、前記フランジ及び前記内側キャップ部材の前記ベースの間にポケットを設ける、請求項１〜１３の何れか一項に記載のキャップ。
【請求項１５】
ファスナの一端の周囲で密閉空間を形成するためのキャップであり、前記キャップは、内側キャップ部材、及び該内側キャップ部材に外嵌する外側キャップ部材を含み、前記内側キャップ部材及び前記外側キャップ部材のうちの何れか一方は、実質的に円筒形状の側壁を有し、前記内側キャップ部材及び前記外側キャップ部材のうちの他方は、小面を有する側壁を備えており、これにより、前記内側キャップ部材と前記外側キャップ部材との間に少なくとも三つの溝が形成されてなる、キャップ。
【請求項１６】
少なくとも３つの位置決め機構を前記内側キャップ部材の内側表面上に備える、請求項１５に記載のキャップ。
【請求項１７】
前記外側キャップ部材は略円筒形状の側壁を有し、前記外側キャップ部材の前記ベースは前記内側キャップ部材の前記ベースのエッジからセットバックしたポイントにて前記内側キャップ部材から外方向に延在するフランジを形成し、前記フランジと前記ベースの間にポケットを設ける、請求項１５又は１６に記載のキャップ。
【請求項１８】
前記キャップ部材は略ドーム状である、請求項１〜１７の何れか一項に記載のキャップ。
【請求項１９】
前記キャップ部材は略シルクハット形状である、請求項１〜１７の何れか一項に記載のキャップ。
【請求項２０】
前記キャップ部材はプラスチック材料を含有する、請求項１〜１９の何れか一項に記載のキャップ。
【請求項２１】
前記プラスチック材料はポリエーテルイミド（ＰＥＩ）である、請求項２０に記載のキャップ。
【請求項２２】
前記内側キャップ部材及び前記外側キャップ部材の間に配置されたシーラント材料を更に含む、請求項１〜２１の何れか一項に記載のキャップ。
【請求項２３】
前記シーラント材料は二液性エポキシ又はポリサルファイドシーラントである、請求項２２に記載のキャップ。
【請求項２４】
ファスナの一端の周囲で密閉空間を形成するためのキャップの取り付け方法であり、前記ファスナは構造を貫通し、前記キャップは、中央空間につながる開口を囲むエッジを端部とするベースを有する内側キャップ部材と、前記内側キャップ部材に外嵌し、且つベースを有する外側キャップ部材と、前記内側キャップ部材及び外側キャップ部材の間に配置されたシーラント材料とを含み、
前記内側キャップ部材が、前記内側キャップ部材の全周にわたって壁厚が実質的に均一な側壁を有し、該側壁が前記内側キャップ部材の外側表面に形成された複数の溝、及び該溝に対応する前記内側キャップ部材の内側表面に形成された山を有し、前記溝及び山は前記内側キャップ部材の大部分に沿って長手方向に延在するか、又は
前記外側キャップ部材が、壁厚が実質的に均一な側壁を有し、該側壁が前記外側キャップ部材の内側表面に形成された複数の溝、及び該溝に対応する前記外側キャップ部材の外側表面に形成された山を有し、前記溝及び山は前記外側キャップ部材の大部分に沿って長手方向に延在することを特徴とし、  （ａ）前記キャップを前記ファスナの一端に外嵌させて、前記ファスナの一端を前記内側キャップ部材によって囲み、複数の溝を前記内側キャップ部材及び外側キャップ部材の間にて画定するステップと；
（ｂ）前記外側キャップ部材を前記構造に向かって押下し、前記シーラント材料を実質的に前記溝を通じて前記構造に向けて流れさせ、前記キャップの前記ベースの周囲で前記シーラントのビード形成するステップと；
（ｃ）前記シーラント材料により前記キャップを前記構造に接着するステップと
を含む、方法。
【請求項２５】
ファスナの一端の周囲で密閉空間を形成するためのキャップの取り付け方法であり、前記ファスナは構造を貫通し、前記キャップは、内側キャップ部材と、該内側キャップ部材に外嵌する外側キャップ部材と、前記内側キャップ部材及び外側キャップ部材の間に配置されたシーラント材料とを含み、
前記内側キャップ部材及び外側キャップ部材のうちの一方は略円筒形状の側壁を有し、前記内側キャップ部材及び外側キャップ部材のうちの他方は、小面を有する側壁を備え、これにより少なくとも３つの溝を前記内側キャップ部材及び外側キャップ部材との間に形成することを特徴とし、前記方法は、
（ａ）前記キャップを前記ファスナの一端に外嵌させて、前記ファスナの一端を前記内側キャップ部材によって囲み、少なくとも３つの溝を前記内側キャップ部材及び外側キャップ部材の間にて画定するステップと；
（ｂ）前記外側キャップ部材を前記構造に向かって押下し、前記シーラント材料を実質的に前記溝を通じて前記構造に向けて流れさせ、前記キャップのベースの周囲で前記シーラントのビード形成するステップと；
（ｃ）前記シーラント材料により前記キャップを前記構造に接着するステップと
を含む、方法。
【手続補正２】
【補正対象書類名】明細書
【補正対象項目名】０００８
【補正方法】変更
【補正の内容】
【０００８】
本発明の第一の観点によれば、ファスナの一端の周囲で密閉空間を形成するためのキャップであり、中央空間につながる開口を囲むエッジを端部とするベースを有する内側キャップ部材と、内側キャップ部材に外嵌し、且つベースを有する外側キャップ部材と、任意で、内側キャップ部材及び外側キャップ部材の間に配置されたシーラント材料とを含み、内側キャップ部材が、前記内側キャップ部材の全周にわたって壁厚が実質的に均一な側壁を有し、該側壁が内側キャップ部材の外側表面に形成された複数の溝、及び該溝に対応する、内側キャップ部材の内側表面に形成された山を有し、溝及び山は内側キャップ部材の大部分に沿って長手方向に延在するか、又は、外側キャップ部材が、壁厚が実質的に均一な側壁を有し、該側壁が外側キャップ部材の内側表面に形成された複数の溝、及び該溝に対応する、外側キャップ部材の外側表面に形成された山を有し、溝及び山は外側キャップ部材の大部分に沿って長手方向に延在することを特徴とする、キャップが提供される。
【手続補正３】
【補正対象書類名】明細書
【補正対象項目名】００２９
【補正方法】変更
【補正の内容】
【００２９】
本発明の更なる観点によれば、ファスナの一端の周囲で密閉空間を形成するためのキャップの取り付け方法であり、ファスナは構造を貫通し、キャップは、中央空間につながる開口を囲むエッジを端部とするベースを有する内側キャップ部材と、内側キャップ部材に外嵌し、且つベースを有する外側キャップ部材と、内側キャップ部材及び外側キャップ部材の間に配置されたシーラント材料とを含み、内側キャップ部材が、前記内側キャップ部材の全周にわたって壁厚が実質的に均一な側壁を有し、該側壁が内側キャップ部材の外側表面に形成された複数の溝、及び該溝に対応する内側キャップ部材の内側表面に形成された山を有し、溝及び山は内側キャップ部材の大部分に沿って長手方向に延在するか、又は外側キャップ部材が、壁厚が実質的に均一な側壁を有し、該側壁が外側キャップ部材の内側表面に形成された複数の溝、及び該溝に対応する外側キャップ部材の外側表面に形成された山を有し、溝及び山は外側キャップ部材の大部分に沿って長手方向に延在することを特徴とし、（ａ）キャップをファスナの一端に外嵌させて、ファスナの一端を内側キャップ部材によって囲み、複数の溝を内側キャップ部材及び外側キャップ部材の間にて画定するステップと；（ｂ）外側キャップ部材を構造に向かって押下し、シーラント材料を実質的に溝を通じて構造に向けて流れさせ、キャップのベースの周囲でシーラントのビード形成するステップと；（ｃ）シーラント材料によりキャップを構造に接着するステップとを含む、方法が提供される。